(57)【特許請求の範囲】
【請求項１】
外周面に釣糸が巻回される筒状の胴部と、
前記胴部の軸線方向の端部に設けられたフランジ部と、
前記胴部に着脱可能に取り付けられる糸止め部材と、
を備え、
前記胴部には、前記釣糸の巻始め端部を前記胴部の前記外周面から前記胴部の筒内に挿通させる貫通孔が形成されており、
前記糸止め部材が前記胴部に取り付けられることにより、前記胴部の前記筒内の空間が閉鎖され、前記釣糸の前記巻き始め端部が前記胴部の前記筒内に収納される、スプール。
【請求項２】
前記糸止め部材が前記胴部に取り付けられることにより、前記胴部の前記筒内の前記空間が閉鎖されるとともに、前記釣糸の巻終わり端部が係止される、請求項１に記載のスプール。
【請求項３】
前記フランジ部の外周面には、径方向外側に開口する溝部が形成され、
前記糸止め部材は、前記フランジ部の側面に当接する当接部を有し、
前記胴部の前記外周面に巻回された前記釣糸の前記巻終わり端部側が、前記溝部内に通されて外部に引き出され、前記溝部の縁に前記釣糸が引っ掛けられることで前記釣糸に張力が与えられつつ、前記フランジ部の側面と前記糸止め部材の前記当接部との間に前記釣糸が挟み込まれることにより、前記釣糸の巻終わり端部が係止される、請求項２に記載のスプール。
【請求項４】
前記当接部の前記フランジ部の前記側面に当接する側の面には、凸条が形成され、
前記フランジ部の側面と前記糸止め部材の前記当接部の前記凸条との間に前記釣糸が挟み込まれることにより、前記釣糸の巻終わり端部が係止される、請求項３に記載のスプール。
【発明の詳細な説明】
【技術分野】
【０００１】
本発明は、釣糸を巻回するためのスプールに関する。
【背景技術】
【０００２】
従来のスプールとしては、筒状の胴部と、胴部の軸線方向の端部に設けられたフランジ部と、フランジ部に設けられ該フランジ部の両側面に連通する溝部と、を備え、胴部の外周面に釣糸が巻回されるものが知られている（例えば、特許文献１参照）。
【０００３】
このようなスプールでは、釣糸を巻回する場合、例えば図４（ａ）に示すように、まず、釣糸Ｌの糸巻（不図示）側をフランジ５２の溝部５３に通し、釣糸Ｌを胴部５１の外周面５１ａに導く。そして、この外周面５１ａの軸線方向の一端側から釣糸Ｌを巻き始める。
【０００４】
続いて、図４（ｂ）に示すように、外周面５１ａの軸線方向の一端側から他端側に向けて順次に釣糸Ｌを巻回する。そして、この釣糸Ｌの巻回を繰り返した後、釣糸Ｌの糸巻側を切断する。これにより、図４（ｃ）に示すように、釣糸Ｌの巻回が完了する。
【特許文献１】特開２００３−３３３９６９号公報
【発明の開示】
【発明が解決しようとする課題】
【０００５】
ここで、上述したようなスプール５０においては、巻回された釣糸Ｌの巻き始めの一端部Ｌａ（以下、「巻始め端部」という）と、巻き終わりの一端部Ｌｂ（以下、「巻終わり端部」という）と、を互いに区別し難い。そのため、巻き始め端部Ｌａ側から釣糸Ｌを引き出してしまうという誤使用のおそれがある。
【０００６】
そこで、本発明は、巻き始めの一端部側から釣糸を誤って引き出してしまうのを防止することができるスプールを提供することを課題とする。
【課題を解決するための手段】
【０００７】
上記課題を解決するために、本発明に係るスプールは、筒状の胴部と、胴部の軸線方向の端部に設けられたフランジ部と、を備え、胴部の外周面に釣糸が巻回されるスプールであって、胴部には、釣糸の巻き始めの一端部を挿通させる貫通孔が形成されていることを特徴とする。
【０００８】
このスプールでは、胴部の外周面に釣糸を巻回する場合、釣糸の巻始め端部が貫通孔に挿通される。よって、巻始め端部と巻終わり端部とを互いに確実に区別することができる。その結果、巻始め端部側から釣糸を誤って引き出してしまうことを防止することが可能となる。
【０００９】
ここで、釣糸の巻き始めの一端部は、貫通孔から径方向内側に所定長さだけ導出されることが好ましい。この場合、釣糸が貫通孔から抜け出るのを抑制することができる。
【発明の効果】
【００１０】
本発明によれば、巻き始めの一端部側から釣糸を誤って引き出してしまうのを防止することが可能となる。
【発明を実施するための最良の形態】
【００１１】
以下、添付図面を参照して、本発明の好適な実施形態について詳細に説明する。なお、以下の説明において同一要素には同一符号を付し、重複する説明は省略する。
【００１２】
まず、本発明の第１実施形態に係るスプールについて説明する。
【００１３】
図１は本発明の第１実施形態に係るスプールを示す正面図、図２は図１のII−II線に沿っての断面図である。図１，２に示すように、本実施形態のスプール１は、釣糸Ｌ（図３参照）を巻回するためのものである。釣糸Ｌとしては、その太さや強さは限定されず種々の糸状を呈するものが用いられる。
【００１４】
このスプール１は、例えば樹脂を成形してなる樹脂成形品である。ここでは、スプール１は、巻回される釣糸Ｌの視認性の点で好ましいとして、透明樹脂により形成されている。スプール１は、胴部２とフランジ部３とを有している。
【００１５】
胴部２は、円筒状を呈し、その外周面２ａに例えば整列巻きで釣糸Ｌが巻回される。この胴部２は、その内周面２ｂより内側が中空とされた非リブ構造とされている。フランジ部３は、所定厚さを有する円環状を呈している。このフランジ部３は、胴部２の軸線方向の両端部に、径方向外側に突出するようにそれぞれ形成されている。
【００１６】
ここで、胴部２には、釣糸Ｌの巻始め端部Ｌａ（図３参照）を挿通させる貫通孔４が形成されている。貫通孔４は、断面円形状を呈し、胴部２の外周面２ａ及び内周面２ｂを貫通するように径方向に沿って延在している。この貫通孔４は、胴部２において軸線方向の一端側の位置に形成されている。具体的には、前側のフランジ部３Ｆの内側面３ａに接するように形成されている。
【００１７】
この貫通孔４の内径は、釣糸Ｌの線径よりも大きいものとされている。なお、貫通孔４の内径は、釣糸Ｌ及びスプール１の材質や釣糸Ｌの線径等によって適宜設定されるものである。ちなみに、この貫通孔４の内径は、種々の線径の釣糸Ｌを共通して挿通できるような大きさにする場合もある。
【００１８】
このスプール１においては、釣糸Ｌを巻回する場合、まず、図３（ａ）に示すように、釣糸Ｌの巻始め端部Ｌａを貫通孔４に挿通する。このとき、釣糸Ｌの巻始め端部Ｌａを、貫通孔４から径方向内側に所定長さだけ導出させる。
【００１９】
続いて、図３（ｂ）に示すように、スプール１を回転させながら、該スプール１に対して糸巻（不図示）を軸線方向の一端側（図示左側）から他端側（図示右側）に向けて相対移動させる。これにより、外周面２ａの軸線方向の一端側（図示左側）から他端側（図示右側）に向けて順次に釣糸Ｌを巻回される（整列巻き）。
【００２０】
そして、この釣糸Ｌの巻回を複数回繰り返す。その後、外周面２ａの軸線方向の他端側にて釣糸Ｌを切断する。これにより、図３（ｃ）に示すように、釣糸Ｌの巻回が完了することとなる。
【００２１】
従って、本実施形態によれば、釣糸Ｌの巻始め端部Ｌａが胴部２の外周面２ａ側に露出することがなく、巻始め端部Ｌａと巻終わり端部Ｌｂとを互いに確実且つ判然と区別することができる。よって、巻始め端部Ｌａ側から釣糸Ｌを誤って引き出してしまうのを防止することが可能となる。その結果、かかる誤使用のために釣糸Ｌを引き出し難いことを防止することができる。
【００２２】
さらに、従来のスプールでは、釣糸Ｌの巻始め端部Ｌａを固定すべく、巻始め端部Ｌａを結んだりテープでスプールに固定したりする必要がある。この点、本実施形態では、釣糸Ｌの巻始め端部Ｌａを貫通孔４に挿通するだけで足り、釣糸Ｌをスプール１に容易に巻回することができる。
【００２３】
また、本実施形態では、上述したように、釣糸Ｌの巻始め端部Ｌａが、貫通孔４から径方向内側に所定長さだけ導出される。よって、釣糸Ｌが貫通孔４から抜け出るのを抑制することができる。その結果、釣糸Ｌの使い終わりが貫通孔４から抜け出るのを防止でき、釣糸Ｌを最後まで確実に使い尽くすことが可能となる。
【００２４】
なお、本実施形態では、例えば釣糸Ｌの太さを５号（線径が約０．３７ｍｍ）とした場合、貫通孔４から釣糸Ｌが容易に抜き出ないように、貫通孔４の内径は釣糸Ｌの線径に対して僅かに大きい約０．５ｍｍとされる。また、この場合、貫通孔４から径方向内側に導出される巻始め端部Ｌａの長さは、例えば約１ｃｍとされる。
【００２５】
次に、本発明の第２実施形態に係るスプールについて説明する。
【００２６】
図５は本発明の第２実施形態に係るスプールを示す斜視図、図６は図５のスプールの正面図、図７は図５のスプールの平面図、図８は図５のスプールの背面図である。図５〜８に示すように、本実施形態のスプール１０は、釣糸Ｌを巻き付ける本体２０と、この本体２０の前側に取り付けられ釣糸Ｌを係止する糸止め部材４０と、を備えている。
【００２７】
図９は図５のスプールにおける本体の前側を示す斜視図である。図９に示すように、本体２０は、例えば樹脂を成形してなる樹脂成形品であり、ここでは、巻回される釣糸Ｌの視認性の点で好ましいとして、透明樹脂により形成されている。この本体２０は、胴部２１とフランジ部２２とを有している。
【００２８】
胴部２１は、円筒状を呈している。具体的には、胴部２１は、大径部２３と小径部２４とからなる２重円筒構造とされている。大径部２３は、その外周面２３ａに例えば整列巻きで釣糸Ｌが巻回される（図１１参照）。この大径部２３には、釣糸Ｌの巻始め端部Ｌａを挿通させる貫通孔３５が形成されている。小径部２４は、大径部２３の筒孔内において軸線方向の中央に同軸で配設されている。図８に示すように、この小径部２４の後端部には、糸止め部材４０を係止するための係止溝２５が、周方向に沿う４等配の位置に形成されている。これら大径部２３及び小径部２４は、それぞれの後端部が円環板状の連結部２７で互いに連結され連続されている。また、図９に示すように、大径部２３と小径部２４との間には、これらを互いに連結するリブ２８が、周方向に沿う８等配の位置に設けられている。
【００２９】
フランジ部２２は、所定の厚さを有する円環状を呈している。このフランジ部２２は、胴部２１の軸線方向の両端部に、径方向外側に突出するようにそれぞれ形成されている。各フランジ部２２の外周面２２ａにおける周方向の同位置には、径方向外側に開口する溝部２９がそれぞれ形成されている。
【００３０】
溝部２９は、フランジ部２２の外周面２２ａ側を矩形状に切り欠くように形成されている。この溝部２９は、周方向に複数形成されている。ここでの溝部２９は、樹脂成形の容易化のために好ましいとして、互いに対向するように１対形成されている。そして、この溝部２９にあっては、その内部に釣糸Ｌの先端側を通し、該釣糸Ｌを外側に引き出すと共に、その縁２９ｅに釣糸Ｌを引っ掛ける（図１１参照）。これにより、フランジ部２２の周方向長さを基準にして（ここでは、フランジ部２２の周方向長さの１／２単位で）、釣糸Ｌを外側に引き出すことが可能とされる。
【００３１】
また、前側のフランジ部２２Ｆにおける外側（前側）の側面２２ｃには、係合溝３０が形成されている。係合溝３０は、糸止め部材４０と周方向に係合するためのものである。この係合溝３０は、側面２２ｃの径方向内側において周方向に沿う４等配の位置に形成されている。
【００３２】
図５に示すように、糸止め部材４０は、円板状の本体部４１と、フランジ部２２Ｆの側面２２ｃに当接する当接部４７と、を含んで構成されている。また、糸止め部材４０は、図８に示すように、本体部４１の後面４１ｂに設けられた円筒部４２を含んで構成されている。
【００３３】
図５に戻り、本体部４１の前面の一部には、釣糸Ｌに関する情報、商品名、使用説明等の様々な文字や図形等を表示する表示部４４が設けられている。ここでは、表示部４４として、ラベルが接着剤等で貼付されている。
【００３４】
当接部４７は、板状を呈しており、本体部４１の外縁部に連続し、且つ本体部４１よりも径方向外側に突出するように設けられている。この当接部４７は、周方向に沿う４等配の位置に設けられている。また、当接部４７には、フランジ部２２Ｆの係合溝３０（図９参照）と係合するためのものとして、後側に突出する係合凸部４８が設けられている。図７に示すように、当接部４７の後面（当接する側の面）には、径方向に沿って延在し且つ後方に凸の凸条４９が複数形成されている（図１１参照）。
【００３５】
図８に示すように、円筒部４２の後端部には、胴部２１の係止溝２５に係止するものとして、径方向外側に突出する鉤状の係止爪４５が設けられている。この係止爪４５は、周方向に沿う４等配の位置に形成されている。
【００３６】
この糸止め部材４０は、その円筒部４２が胴部２１の小径部２４（図９参照）に内挿され、その係止爪４５が小径部２４の係止溝２５に係止される。そして、図５に示すように、フランジ部２２Ｆの係合溝３０に係合凸部４８が係合されている。これらにより、糸止め部材４０は、本体２０に対して周方向に位置決めされると共に、胴部２１に対して着脱可能に取り付けられる。そして、図７に示すように、当接部４７の凸条４９が、フランジ部２２Ｆの側面２２ｃに当接されることになる。
【００３７】
ここで、本実施形態のスプール１０では、上述したように、胴部２１の大径部２３に貫通孔３５が形成されている。
【００３８】
図１０は、図９のX−X線に沿っての断面拡大図である。図１０に示すように、貫通孔３５は、上記貫通孔４と同様な構成を有している。すなわち、貫通孔３５は、断面円形状を呈し、大径部２３の外周面２３ａ及び内周面２３ｂを貫通するように径方向に沿って延在している。そして、この貫通孔３５は、胴部２１において軸線方向の一端側の位置に形成されている。また、貫通孔３５の内径は、釣糸Ｌの線径よりも大きいものとされている。
【００３９】
このスプール１０にて釣糸Ｌを巻回する場合、上記スプール１と同様に、まず、釣糸Ｌの巻始め端部Ｌａを貫通孔３５に挿通する。このとき、釣糸Ｌの巻始め端部Ｌａを、貫通孔３５から径方向内側に所定長さだけ導出させる。
【００４０】
続いて、外周面２３ａの軸線方向の一端側から他端側に向けて順次に釣糸Ｌを巻回する。そして、この釣糸Ｌの巻回を複数回繰り返す。その後、外周面２３ａの軸線方向の他端側にて釣糸Ｌを切断する。これにより、図２３に示すように、釣糸Ｌの巻回が完了することとなる。
【００４１】
従って、本実施形態においても、上記実施形態と同様な効果、すなわち、巻始め端部Ｌａ側から釣糸Ｌを誤って引き出してしまうのを防止できるという効果を奏する。
【００４２】
さらに、本実施形態では、上述したように、糸止め部材４０が胴部２１に取り付けられている。よって、釣糸Ｌの巻始め端部Ｌａが貫通孔３５から大径部２３の筒孔内に導出され露出されても、その巻始め端部Ｌａを糸止め部材４０でもって筒孔内に収納することができる。つまり、巻始め端部Ｌａが散在するのを防止することが可能となる。
【００４３】
なお、このスプール１０にて釣糸Ｌの糸止めを行う場合、以下の動作が実行される。
【００４４】
すなわち、図１１に示すように、まず、本体２０の外周面２３ａに巻回された釣糸Ｌの先端側（巻終わり端部Ｌｂ側）を、溝部２９内に通して外部に引き出す。これに併せて、溝部２９の縁２９ｅに釣糸Ｌを引っ掛けることで、釣糸Ｌにテンション（張力）を与え、釣糸Ｌを張った状態とする。このとき、引き出された釣糸Ｌの長さ（以下、「引出し長さ」という）を所望な長さとすべく、一対の溝部２９，２９のうちの一方が適宜選択されると共に、引き出し長さがフランジ部２２Ｆの周方向長さの１／２単位で調整される。
【００４５】
続いて、この状態で、フランジ部２２Ｆの側面２２ｃと糸止め部材４０における当接部４７の凸条４９との間に、引き出した釣糸Ｌを進入させる。これにより、側面２２ｃと凸条４９との間でもって、釣糸Ｌが挟み込まれて掛止される。つまり、糸止め部材４０と本体２０との圧着、及び当接部４７の剛性によって、凸条４９が釣糸Ｌを側面２２ｃに付勢することとなる。その結果、釣糸Ｌが確実に係止される。
【００４６】
従って、本実施形態によれば、釣糸Ｌを係止するに際し釣糸Ｌを屈曲させる必要が無く、よって、釣糸Ｌの表面に凹凸が形成されたり、釣糸Ｌに係止痕が残ったり、糸撚れが生じたりするのを防止することができる。その結果、釣糸Ｌを傷つけずに確実に係止することが可能となる。ひいては、釣糸Ｌの取扱い性を向上できると共に、水中に投入された釣糸Ｌの「あたり」（魚信）に対する感度が高められる。
【００４７】
また、本実施形態では、上述したように、糸止め部材４０が、胴部２１の大径部２３に着脱可能に取り付けられている。よって、糸止め部材４０を胴部２１に着脱可能に取り付けるだけで釣糸Ｌが係止可能となり、釣糸Ｌを簡易に係止することができる。
【００４８】
また、本実施形態では、上述したように、当接部４７の後面４７ｂには、凸条４９が複数設けられている。そして、糸止め部材４０は、この凸条４９とフランジ部２２Ｆの側面２２ｃとの間で釣糸Ｌを係止する。よって、釣糸Ｌを係止する際、釣糸Ｌに対する当接部４７の接触領域が低減するため、釣糸Ｌが傷つくのを一層抑制できる。これと共に、釣糸Ｌに対する当接部４７の摩擦係数が増加するため、釣糸Ｌを確実に係止することができる。
【００４９】
以上、本発明の好適な実施形態について説明したが、本発明は上記実施形態に限定されるものではない。
【００５０】
例えば、上記第２実施形態では、引き出された釣糸Ｌを係止するために糸止め部材４０を備えているが、場合によっては、糸止め部材４０は無くてもよい。また、フランジ部２２に溝部２９を形成したが、場合によっては、この溝部２９は無くてもよい。
【００５１】
なお、貫通孔から径方向内側に導出された巻始め端部Ｌａの所定長さは、釣糸Ｌの種類、材質又は太さ等に応じて設定されるものであり、要は、釣糸Ｌが貫通孔４から抜け出るのを抑制できるよう設定されればよい。かかる所定長さは、巻回完了後に巻始め端部Ｌａを切断することで調整してもよい。また、導出した巻始め端部Ｌａをテープ等でスプールに固定する場合もある。
【図面の簡単な説明】
【００５２】
【図１】本発明の第１実施形態に係るスプールを示す正面図である。
【図２】図１のII−II線に沿っての断面図である。
【図３】図１のスプールにおいて釣糸を巻回する場合を説明するための図である。
【図４】従来のスプールにおいて釣糸を巻回する場合を説明するための図である。
【図５】本発明の第２実施形態に係るスプールを示す斜視図である。
【図６】図５のスプールの正面図である。
【図７】図５のスプールの平面図である。
【図８】図５のスプールの背面図である。
【図９】図５のスプールにおける本体の前側を示す斜視図である。
【図１０】図９のX−X線に沿っての断面拡大図である。
【図１１】図５のスプールにおいて釣糸を巻回する場合を説明するための図である。
【符号の説明】
【００５３】
１，１０…スプール、２，２１…胴部、２ａ，２３ａ…外周面、３，３Ｆ，２２，２２Ｆ…フランジ部、４，３５貫通孔、Ｌ…釣糸、Ｌａ…巻始め端部。
【図１】
0005209371.tif 000002
【図２】
0005209371.tif 000003
【図３】
0005209371.tif 000004
【図４】
0005209371.tif 000005
【図５】
0005209371.tif 000006
【図６】
0005209371.tif 000007
【図７】
0005209371.tif 000008
【図８】
0005209371.tif 000009
【図９】
0005209371.tif 000010
【図１０】
0005209371.tif 000011
【図１１】
0005209371.tif 000012